(57)【要約】【課題】照射角度を必要な角度に調整することができるとともに、器具を確実に必要な角度に固定することが可能な照明器具を提供する。【解決手段】照明器具１０は、器具本体１１、角度調整部材１２、アーム１３、固定部材１４を具備している。器具本体１１は、光源１１ｃが内部に配設され、外部にアーム軸支部１１ｇを有する。角度調整部材１２は、器具本体に設けられ、アーム軸支部を中心とした円の軌跡上に位置し、所定の間隔を有して形成された複数の係合孔１２ｂを有する。アーム１３は、器具本体のアーム軸支部に軸支され、角度調整部材の複数の係合孔に対向して形成された長孔１３ｃを有する。固定部材１４は、アームの長孔と角度調整部材の係合孔を係合させる。【選択図】        図１
2013097986.tif 000002
【特許請求の範囲】
【請求項１】
光源が内部に配設され、外部にアーム軸支部を有する器具本体と；
器具本体に設けられ、アーム軸支部を中心とした円の軌跡上に位置し、所定の間隔を有して形成された複数の係合孔を有する角度調整部材と；
器具本体のアーム軸支部に軸支され、角度調整部材の複数の係合孔に対向して形成された長孔を有するアームと；
アームの長孔と角度調整部材の係合孔を係合させる固定部材と；
を具備していることを特徴とする照明器具。
【請求項２】
前記複数の係合孔は、等間隔に角度調整部材に形成し、アームの長孔を係合孔の間隔ピッチを跨る長さを有して形成したことを特徴とする請求項１に記載の照明器具。
【発明の詳細な説明】
【技術分野】
【０００１】
本発明の実施形態は、照射角度を調整することが可能な照明器具に関する。
【背景技術】
【０００２】
従来、建物の壁面や看板等の屋外用の照明として用いられ、照射方向を調整できるようにした照射角度調整機構付の投光器や照射器等の照明器具が商品化されている。
【先行技術文献】
【特許文献】
【０００３】
【特許文献１】特開２００５−２７６４８７号公報
【特許文献２】特開２０１１−１３４４７２号公報（図３）
【発明の概要】
【発明が解決しようとする課題】
【０００４】
この種、照明器具の照射角度調整機構は、回転板を金具で挟み込み、その摩擦で固定した構成や、回転軸を直接固定して構成されることが多い。これら構成では、固定用のボルトが緩んだ場合、角度調整部分が可動してしまい、器具本体がアームや他の構造物等に当たり器具が損傷する恐れがある。
【０００５】
このため、照射角度を必要な角度に調整することができるとともに、器具を確実に必要な角度に固定することが可能な照明器具を如何にして構成するかが重要な課題となっている。
【０００６】
本発明は、上記課題に鑑みてなされたもので、照射角度を必要な角度に調整することができるとともに、器具を確実に必要な角度に固定することが可能な照明器具を提供しようとするものである。
【課題を解決するための手段】
【０００７】
実施形態の照明器具は、器具本体、角度調整部材、アーム、固定部材を具備している。器具本体は、光源が内部に配設され、外部にアーム軸支部を有する。角度調整部材は、器具本体に設けられ、アーム軸支部を中心とした円の軌跡上に位置し、所定の間隔を有して形成された複数の係合孔を有する。アームは、器具本体のアーム軸支部に軸支され、角度調整部材の複数の係合孔に対向して形成された長孔を有する。固定部材は、アームの長孔と角度調整部材の係合孔を係合させる。
【発明の効果】
【０００８】
本発明によれば、照射角度を必要な角度に調整することができるとともに、器具を確実に必要な角度に固定することが可能な照明器具を提供することができる。
【図面の簡単な説明】
【０００９】
【図１】本発明の実施形態である照明器具を示す斜視図。
【図２】同じく照明器具の角度調整機構を示す斜視図。
【図３】同じく照明器具の角度調整機構を示し、（ａ）は固定手段を外した状態を示す斜視図、（ｂ）は固定手段を示す斜視図。
【図４】同じく照明器具の角度調整機構の正面図。
【図５】同じく照明器具の角度調整機構を示し、（ａ）は器具本体を垂直に設置した状態を示す正面図、（ｂ）は器具本体を斜め下方に向けて設置した状態を示す正面図。
【図６】同じく照明器具の角度調整機構を示し、器具本体を斜め上方に向けて設置した状態を示す正面図。
【図７】同じく照明器具を建物の壁面を照明するために設置した状態を示す側面図。
【図８】同じく照明器具の変形例を示し、（ａ）は第１の変形例における角度調整機構の正面図、（ｂ）は本（ａ）図のｂ−ｂ線に沿う第２の変形例を示す断面図。
【発明を実施するための形態】
【００１０】
以下、照明器具の実施形態につき、図に従い説明する。本実施形態は、建物の壁面を照明する投光器としての照明器具を構成するもので、図１〜図６に示すように、照明器具１０は、光源１１ｃが内部に配設される器具本体１１、器具本体１１に設けられる角度調整部材１２、器具本体１１に軸支されるアーム１３、アーム１３と角度調整部材１２を係合させる固定部材１４等で構成する。
【００１１】
器具本体１１は、図１に示すように、アルミニウムダイキャスト等で強固な矩形箱状をなすケース体として構成され、前面側に発光部１１ａ、後面側に電装部１１ｂが設けられる。発光部１１ａは、前面を開放したケース体をなし、ケース体の底面に光源１１ｃが配設される。光源は、本実施形態では、発光ダイオード（以下「ＬＥＤ」と称する）を有するＬＥＤモジュール１１ｃで構成され、複数個、本実施形態では、６個のＬＥＤモジュール１１ｃが略等間隔に配設されている。
【００１２】
図中１１ｄは、発光部１１ａの開放した前面に設けられた透明な強化ガラスからなる透光パネルで、ＬＥＤモジュール１１ｃから放射された光が、透孔パネル１１ｄを透過して外部に向けて放射される。また１１ｅは、発光部の背面側に一体に形成された放熱フィンで、ＬＥＤモジュール１１ｃの点灯時に発生する熱を外部に放熱させてＬＥＤの発光効率の低下を抑制している。
【００１３】
電装部１１ｂは、後面を開放したケース状をなし、ケース内にＬＥＤを点灯制御するための電源部および点灯装置（図示省略）が配設され、アルミニウムダイキャスト等で構成された蓋体１１ｆによって閉塞されている。上記に構成された器具本体１１の両側面には、後述するアーム１３を回動可能に軸支するためのネジ孔からなるアーム軸支部１１ｇが形成されている。
【００１４】
角度調整部材１２は、器具本体１１の角度調整機構を構成する部材で、本実施形態では、器具本体１１と別個に構成された強度の強い肉厚の鋼板からなる角度調整板１２で構成される。角度調整板１２は、図４に示すように、略扇状をなす形状に形成され、扇の要となる軸１２ａを中心とする円ａの軌跡上に位置して、所定の間隔、本実施形態では、略等しい間隔を有して複数の係合孔１２ｂが形成される。
【００１５】
係合孔１２ｂは、本実施形態では、タップ付の貫通する丸孔で１４個形成した。さらに、係合孔１２ｂの間隔ピッチは、軸１２ａを中心とする角度α１が約１０°になる間隔ピッチで、等間隔に１４個の丸孔を形成した。したがって両端に位置する係合孔１２ｂがなす角度α２は約１３０°になる。換言すれば、約１３０°の角度範囲にわたって照射角度の調整が行えるように構成されている。
【００１６】
上記に構成された角度調整板１２は、器具本体１１の一方の側面にねじ止めまたは溶接等の手段によって強固に取り付けられる。すなわち、角度調整板１２は、軸１２ａを器具本体１１のアーム軸支部１１ｇと同軸となるように位置させ、さらに、扇形の角度調整板１２の一辺がなす線ｘ−ｘが、矩形状をなす器具本体１１の縦方向の稜線ｙ−ｙと略平行になるように位置させて器具本体１１に固定する（図４）。角度調整板１２は、アルミニウムダイキャスト等によって器具本体１１と一体に形成したものであってもよい。
【００１７】
アーム１３は、角度調整板１２とともに器具本体１１の角度調整機構を構成し、かつ、器具本体１１を被設置部に設置するための部材で、図１に示すように、強度の強い肉厚縦長の鋼板を略Ｕ字状に折り曲げて形成する。Ｕ字の両脚部１３ａ、１３ａの先端部の中央部には、器具本体１１のアーム軸支部１１ｇに回動可能に軸支するための貫通孔からなる回動孔１３ｂをそれぞれ形成する（図３（ａ））。
【００１８】
アーム１３の一方の脚部１３ａには、角度調整板１２に形成された複数の係合孔１２ｂに対向して、タップなしの長孔１３ｃが貫通して形成される。本実施形態において、長孔１３ｃは、図４に示すように、等間隔に形成された係合孔１２ｂの間隔ピッチ（角度１０°）を跨る（オーバーラップする）長さを有して形成した。すなわち、長孔１３ｃは、軸１２ａ（アーム軸支部１１ｇ）を中心とする円ａの軌跡上に沿う円弧状をなし、円弧の長さｌ１が丸孔からなる係合孔１２ｂの間隔ピッチ（角度１０°）と略等しくなるように形成する。
【００１９】
また、Ｕ字の本体部分には、図１に示すように、３個の支持孔１３ｄを貫通させて形成する。この支持孔１３ｄによって、アーム１３が被設置部に支持されて器具本体１１が設置される。
【００２０】
上記に構成されたアーム１３は、図１に示すように、長孔１３ｃを形成した一方の脚部を、角度調整板１２が固定された側面側に位置させてアーム１３の両脚部１３ａ、１３ａを器具本体１１の両側面に跨らせる。そして、アーム１３のそれぞれの回動孔１３ｂを器具本体１１のアーム軸支部１１ｇに合致させ、ボルト１５をネジ孔からなるアーム軸支部１１ｇにねじ込んで固定する（図２）。ボルト１５は、ワッシャー１５ａ、バネワッシャー１５ｂを介在させてアーム軸支部１１ｇにねじ込むことによって、アーム１３がボルト１５を中心として左右に所定の角度にわたって回動ができるように固定される。これにより、円ａの軌跡上にそれぞれ位置するアーム１３の長孔１３ｃと角度調整板１２の係合孔１２ｂとが合致して対向するように位置する（図４）。
【００２１】
固定部材１４は、アーム１３と角度調整板１２を係合させる部材、換言すれば、器具本体１１の照射角度を必要な角度に固定するための部材で、本実施形態では、図３（ｂ）に示すように、タップ付の係合孔１２ｂにねじ込まれる固定ボルト１４ａと、ナット付の座板１４ｂで構成する。座板１４ｂは、一端部に固定ボルト１４ａの先端部分が挿入される挿入孔１４ｂ１が形成され、挿入孔１４ｂ１に合致してナット１４ｂ２が溶接されている（図２）。他端部には、ボルト１５が挿入され、ボルト１５によって座板１４ｂをアーム軸支部１１ｇに対し、回動可能に固定するための固定孔１４ｂ３が形成されている。
【００２２】
座板１４の挿入孔１４ｂ１は、固定孔１４ｂ３がボルト１５によって図２に示すように、器具本体１１のアーム軸支部１１ｇに固定された際に（アーム１３を介在させて）、挿入孔１４ｂ１が、アーム１３の長孔１３ｃに合致する位置、換言すれば、長孔１３ｃと合致している角度調整板１２の係合孔１２ｂと合致する位置に形成する。これにより、固定ボルト１４ａを座板１４ｂのナット１４ｂ２にねじ込むことによって固定ボルト１４ａの先端部分が、アーム１３の長孔１３ｃを貫通してタップ付の係合孔１２ｂにねじ込むことができる。
【００２３】
そして、上記に構成された器具本体１１とアーム１３は、固定ボルト１４ａをねじ込むことが可能な１４個のいずれかの係合孔１２ｂを選択することによって、器具本体１１に対するアーム１３の固定角度、すなわち、器具本体１１の照射角度を調整することができる。本実施形態においては、係合孔１２ｂが角度約１０°の間隔ピッチで１４個形成されているので、１０°毎に（１０°ステップで）係合孔１２ｂを選択し、固定ボルト１４ａを係合孔１２ｂにねじ込み固定することによって、器具本体１１の照射角度を約１３０°の角度範囲にわたって調整することができる。例えば、図６に示すように、器具本体１１を上方に向けて設置することも可能になる。
【００２４】
さらに、本実施形態においては、選択された係合孔１２ｂによる１０°毎のそれぞれの固定位置において、さらに照射角度を微調整して固定することができる。すなわち、図４に示すように、係合孔１２ｂが軸１２ａ（アーム軸支部１１ｇ）を中心とする円ａの軌跡上に形成され、長孔１３ｃも同一の円ａの軌跡上に沿う円弧状をなし、円弧の長さｌ１が丸孔からなる係合孔１２ｂの間隔ピッチに略等しくなるように形成されている。
【００２５】
このため、図５（ａ）示すように、長孔１３ｃの左端と右端が、隣り合う左右の２個の係合孔１２ｂ１、１２ｂ２に合致し、いずれか一方の係合孔、本例では、左端の係合孔１２ｂ２に固定ボルト１４ａをねじ込むことによって固定されている。この状態で器具本体１１は、略垂直方向に設置されている。
【００２６】
この状態で、器具本体の傾きを微調整するために、器具本体１１を図５（ａ）中、左方に傾け、アーム軸支部１１ｇを中心に角度１０°の範囲にわたって回動させる。これにより、角度調整板１２が図中矢印Ａ方向に回動し、図５（ｂ）に示すように、固定ボルト１４ａがアームの長孔１３ｃに沿って右方向に移動し、長孔１３の右端に係止する。この状態で固定ボルト１４ａを係合孔１２ｂにねじ込むことによって固定する。これにより、器具本体１１を約１０°の角度を有して斜め下方に傾斜させた状態に、微調整をして設置することができる。
【００２７】
さらに、この微調整は、１４個の全ての隣接する係合孔１２ｂにおいて同様に、長孔１３ｃの長さ分（角度１０°の範囲）だけ、器具本体１１、すなわち、角度調整板１２を回動させることができる。これにより、１４個の係合孔１２ｂを順次選択し、選択された位置でそれぞれ微調整することによって、器具本体１１は、約１３０°の角度の範囲にわたり、任意の必要な角度に調整することができる。
【００２８】
そして、固定ボルト１４ａを係合孔１２ｂにねじ込むことによって、器具本体１１を任意の必要な角度に確実に固定することができる。この固定手段は、従来のように、回転板を摩擦で固定した構成や、回転軸を直接固定して構成ではなく、固定ボルト１４ａを係合孔１２ｂにねじ込むことによって確実に固定することができる。特に、本実施形態によれば、固定ボルト１４ａは座板１４に固定されたナット１４ｂにねじ込まれ、座板１４はボルト１５によってアーム軸支部１１ｂに固定されている。
【００２９】
このため、固定ボルト１４ａに係る荷重、すなわち、器具本体１１の荷重が固定ボルト１４ａから座板１４さらにボルト１５に伝達される。これにより、器具本体１１の荷重を固定ボルト１４ａとボルト１５に分散させることが可能になり、より一層、強固で確実に固定することが可能になる。また、万一、固定ボルト１４ａが多少緩んだとしても、長孔１３ｃの長さ分、すなわち、角度１０°だけ回動するだけであり、器具本体１１がアームや他の構造物に当たり器具が損傷する恐れは極めて少なくなる。
【００３０】
上記により、照射角度を調整することが可能な照明器具１０が構成され、次のようにして建物の壁面を照明するために設置されて使用される。すなわち、図７に示すように、照明器具１０は、建物２０の壁面２１を照明するために地面等の低い位置に設置された土台に対して、アーム１３の本体部分が載置され、支持孔１３ｄを用いボルト等によって強固に取り付けられる。アーム１３は、略垂直方向に設置される。
【００３１】
上記のように設置された状態で、器具本体１１のアーム１３に対する傾斜角度を調整して器具の照射角度の設定を行う。まず、予め係合孔１２ｂにねじ込まれていた固定ボルト１４ａを係合孔１２ｂから外す。この際、固定ボルト１４ａは、座板１４ｂのナット１４ｂ２からは外さない状態にしておく。
【００３２】
そして、器具本体１１を、アーム軸支部１１ｇを中心にして回動し、設定する角度に該当する係合孔１２ｂを選択する。これにより、選択された係合孔１２ｂとアーム１３の長孔１３ｃが合致する。この状態で、固定ボルト１４ａを、長孔１３ｃを貫通させて係合孔１２ｂにねじ込む。このねじ込みは完全に強固にねじ込まない仮止め状態にしておく。そして、器具本体１１をさらに傾けて長孔１３ｃの長さ分（角度１０°）にわたって角度調整板１２を回動させ角度の微調整を行う。最後に固定ボルト１４ａを係合孔１２ｂに対しさらに強固にねじ込む。これにより、器具本体１１がアーム１３に対して所定の角度、本実施形態においては、斜め上方に向けた角度をもって確実に固定され、照明器具１０の照射角度の設定が完了し、建物２０の壁面２１に対して照明するを行うことが可能となる。
【００３３】
以上、本実施形態において、長孔１３ｃを隣接する２個の係合孔１２ｂ１、１２ｂ２に跨らせる長さに形成したが、図８（ａ）に示すように、２個の係合孔を跨ぐことなく、１個半分だけ跨るように構成してもよい。これによれば角度α３の角度範囲、本実施形態では、約５°の角度範囲にわたって、微調整を行うことが可能になる。
【００３４】
また、本実施形態において、アーム１３と角度調整板１２の固定は、固定ボルト１４ａをタップ付の係合孔１２ｂにねじ込むことによって固定したが、図８（ｂ）に示すように、係合孔１２ｂをタップなしの孔に形成し、アーム１３の長孔１３ｃと係合孔１２ｂを貫通させるボルト１４ａ´とナット１４ｂ２´によって固定するように構成してもよい。本構成によれば、座板１４ｂを省略することが可能になる。
【００３５】
また、本実施形態において、角度調整機構を器具本体の片側に設けたが、大型の重量がある器具等の場合には、器具本体の両側に角度調整機構を設け、より確実な角度調整と器具の確実な固定をなすように構成してもよい。また、照明器具は、投光器に限らず、トンネル用照明器具、道路灯、防犯灯、街路灯、さらには屋内スタジオ等で使用される各種の投光器や照射器などを構成してもよい。以上、本発明の好適な実施形態を説明したが、本発明は上述の実施形態に限定されることなく、本発明の要旨を逸脱しない範囲内において、種々の設計変更を行うことができる。
【符号の説明】
【００３６】
１０  照明器具
１１  器具本体
１１ｃ  光源
１１ｇ  アーム軸支部
１２  角度調整部材
１２ｂ  係合孔
１３  アーム
１３ｃ  長孔
１４  固定部材
【図１】
2013097986.tif 000003
【図２】
2013097986.tif 000004
【図３】
2013097986.tif 000005
【図４】
2013097986.tif 000006
【図５】
2013097986.tif 000007
【図６】
2013097986.tif 000008
【図７】
2013097986.tif 000009
【図８】
2013097986.tif 000010